(57)【要約】【課題】霧の発生を生じさせないファン付きバー型除電器を提供する。【解決手段】ファン付きバー型除電器の構成として、複数のイオン放出口を並べたバー型のハウジングと、イオン放出口からイオンを放出するようにハウジング内に配置された複数の放電電極と、各放電電極から放出されるイオンをハウジング内から外方に噴射させるようにハウジングに給気するように取り付けられたファンと、ファンへの給気中に含まれる埃を除去するように前記ファンに取り付けられたフィルタとを設ける。【選択図】      図１
2004349092.tif 000002
【特許請求の範囲】
【請求項１】
複数のイオン放出口を並べたバー型のハウジングと、
前記イオン放出口からイオンを放出するように前記ハウジング内に配置された複数の放電電極と、
各放電電極から放出されるイオンを前記ハウジング内から外方に噴射させるように前記ハウジングに給気するように取り付けられたファンと、
を有することを特徴とするファン付きバー型除電器。
【請求項２】
請求項１記載のファン付きバー型除電器において、前記ファンへの給気中に含まれる埃を除去するように前記ファンに取り付けられたフィルタをさらに有することを特徴とするファン付きバー型除電器。
【請求項３】
請求項１記載のファン付きバー型除電器において、前記ファンは前記ハウジングの片側または両側に取り付けられていることを特徴とするファン付きバー型除電器。
【請求項４】
請求項１記載のファン付きバー型除電器において、前記ファンは前記ハウジングのイオン放出口と反対側に設けられた複数のファンであることを特徴とするファン付きバー型除電器。
【請求項５】
請求項１記載のファン付きバー型除電器において、前記ファンは送風パイプを介して前記ハウジングに接続されていることを特徴とするファン付きバー型除電器。
【請求項６】
請求項１記載のファン付きバー型除電器において、前記イオン放出口の口径より小さい口径のイオン放出口を持つカバーをさらに有することを特徴とするファン付きバー型除電器。
【発明の詳細な説明】
【０００１】
【発明の属する技術分野】
本発明は、除電器に関し、特に、ファン付きバー型除電器に関する。
【０００２】
【従来の技術】
従来、ファン（ブロワー）を用いた除電器は図４に示すようなファンタイプ（ブロワータイプ）除電器やオーバーヘッド除電器に限られていて、バー型除電器にファン（ブロワー）を用いることはなかった。ここで、図５中、符号１００は除電器のハウジングを示し、１０２はファンを示し、１０４は放電電極を示す。
【０００３】
また、図６に示すものは、バー型の除電器にファンでなく、圧縮空気（エアー）を導いた従来例の除電器である。
【０００４】
【発明が解決しようとする課題】
後者の従来例では、圧縮空気１１２はバルブ１２０を通過した時点で、急激に大気圧近くに戻るので空気の断熱膨張が起き、結果として気温が急激に下がり空気中の湿気が結露し、霧１１４が発生する。この霧が放電電極やこれに導く電線１０８に付着すると、漏電が発生し、火災が発生する。したがって、この方式は実務上使えない。なお、図６中、符号１００はハウジングを示し、１０４は放電電極を示し、１０６は回路基板を示す。
【０００５】
したがって、本発明の目的は、霧の発生を生じさせないファン付きバー型除電器を提供することにある。
【０００６】
【課題を解決しようとする手段】
前述の目的を達成するために、本発明は、複数のイオン放出口を並べたバー型のハウジングと、前記イオン放出口からイオンを放出するように前記ハウジング内に配置された複数の放電電極と、各放電電極から放出されるイオンを前記ハウジング内から外方に噴射させるように前記ハウジングに給気するように取り付けられたファンと、を有することを特徴とするファン付きバー型除電器を採用するものである。
【０００７】
【発明の実施の形態】
次に、図面を参照して本発明の実施例を説明する。
【０００８】
（実施例１）
図１に示すように、バー型除電器のハウジング１４の片側または両側（図示の実施例では片側）にファン１０を設け、フィルタ１２を介してハウジング１４内に給気を行う。給気された空気は放電電極２０により発生されたイオン２２をイオン放出口からと遠くに運ぶ。この結果、除電有効範囲が広くなる。ファンで送られる空気は圧縮空気と違い気圧はほとんど変化しないので、断熱膨張を起こすことなく、結露することはない。このため高電圧が漏電することはない。
【０００９】
また、放電電極には高電圧を印加するので、従来例の除電器は周囲の埃を吸着し、イオンの放出能力を低下させてしまう。本発明ではフィルタ１２を通った清浄な空気が供給されるため、放電電極２０の周りに埃をもたらさないし、また、ハウジング１４の内側から外側に空気を噴出しているので、外側から埃が流入することもない。このため、放電電極２０による埃の吸着に起因するイオンの放出能力の低下が起こりにくい。
【００１０】
（実施例２）
図２に示すように、実施例２では、実施例１がハウジングの片側にファンを取り付けていたのに代えて、バー型除電器のイオン放出口と反対側（背中側）に、ファン１０を設け、給気する。この実施例２での効果は、実施例１の場合の効果に加えて、風量を多くできることである。また、各イオン放出口の風量を均一化できる。反面、ファン１０の数が多いので、コスト高になることと、形状が大きくなり、狭い場所の設置にはむかない。
【００１１】
（実施例３）
図３に示すように、実施例３では、実施例２では多数のファンを用いているのに対して、１つのまたは少ないファン１０を設け、ファン１０から送風パイプ２４を用いてハウジング１４に給気している。これにより、実施例２よりもコストを安く抑えることができるが、送風パイプを用いる分だけ形状が大きくなる。
【００１２】
（実施例４）
図４に示すように，実施例４では、ハウジング１４のイオン放出口の口径より小さい口径のイオン放出口を持つカバー３０をハウジング１４に例えばマジックテープ３０ａによって取り付けている。放電電極２０を交換または掃除するためには、イオン放出口はある程度の大きさを持たなければならないが、そうすると、エアーの流速があがらないので、イオンを遠くに飛ばすことができないし、また内圧を上げて防爆構造にしたり、外部から埃が入らないように防爆構造にすることができない。ハウジング１４のイオン放出口の口径より小さい口径のイオン放出口を持つカバー３０をハウジング１４によって取り付けることによって、除電器の動作中は、イオンを遠くに飛ばしたり、内圧を上げて防爆，防塵構造を形成し、交換や掃除の際には、カバーをはずすことによって交換等を行えるようにする。
【００１３】
【発明の効果】
以上説明したように、本発明によれば、霧の発生を生じさせないファン付きバー型除電器が得られる。
【図面の簡単な説明】
【図１】図１は本発明の実施例１のバー型除電器を示す図である。
【図２】図２は本発明の実施例２のバー型除電器を示す図である。
【図３】図３は本発明の実施例３のバー型除電器を示す図である。
【図４】図４は本発明の実施例４のバー型除電器を示す図である。
【図５】図５は従来例のファンを用いた除電器を示す図である。
【図６】図６は従来例の圧縮空気供給のバー型除電器を示す図である。
【符号の説明】
１０  ファン
１２  フィルタ
１４  ハウジング
１６  回路基板
１８  電線
２０  放電電極
２２  イオン
２４  送風パイプ
３０  カバー
【図１】
2004349092.tif 000003
【図２】
2004349092.tif 000004
【図３】
2004349092.tif 000005
【図４】
2004349092.tif 000006
【図５】
2004349092.tif 000007
【図６】
2004349092.tif 000008